(57)【要約】【課題】便鉢部外に尿をこぼすことなく立ったまま小便することができる水洗式大便器を提供することである。【解決手段】水洗式大便器１０は、汚物を受けるために開口された天井部を有する便鉢部１２と、便鉢部１２の天井部１２ａに対して起立又は倒伏するように回動し、所定の厚みを有し、かつ、略Ｏ字状の貫通孔が形成された便座部１４と、を備え、便座部１４は、正面側に設けられ、陰茎を挿入するための挿入口部１８ａと、背面側に設けられ、陰茎から出た尿を排出するための排出管部１８ｃと、挿入口部１８ａと排出管部１８ｃとを連通するように内部に配設される流路部１８ｂと、を有することを特徴とする。【選択図】図１
0003226248.tif 000002
【実用新案登録請求の範囲】
【請求項１】
汚物を受けるために開口された天井部を有する便鉢部と、
前記便鉢部の前記天井部に対して起立又は倒伏するように回動し、所定の厚みを有し、かつ、略Ｏ字状の貫通孔が形成された便座部と、
を備え、
前記便座部は、
正面側に設けられ、陰茎を挿入するための挿入口部と、
背面側に設けられ、前記陰茎から出た尿を前記便鉢部内に排出するための排出管部と、
前記挿入口部と前記排出管部とを連通するように内部に配設される流路部と、
を有することを特徴とする水洗式大便器。
【請求項２】
請求項１に記載の水洗式大便器において、
前記挿入口部は、前記正面側の開口部から前記流路部との連結部に向けて径が細くなる先細り形状を有しており、
前記便座部の厚みは、前記連結部と前記正面側の前記開口部との間の厚みが前記連結部の厚みよりも広げられていることを特徴とする水洗式大便器。
【請求項３】
請求項１または請求項２に記載の水洗式大便器において、
前記排出管部は、前記便鉢部内に前記尿を導くために前記便座部の底面部から突出する案内管を有することを特徴とする水洗式大便器。
【考案の詳細な説明】
【技術分野】
【０００１】
本考案は、水洗式大便器に関する。
【背景技術】
【０００２】
近年、一般家庭や公衆トイレなどにおいて水洗式大便器が普及している。本考案に関連する技術として、例えば、特許文献１には、排水トラップの内部の水流に基づく振動成分を検出する第１振動センサーと、便器本体において第１振動センサーの検出する水流に基づく振動成分よりも水流に基づく振動成分を検出しにくい位置に取付けられる第２振動センサーであって、第１振動センサーによって検出された振動成分から第２振動センサーによって検出された振動成分を差し引くことにより排水トラップの内部の水流に基づく振動成分を得る排水状態判断部において便器本体の排水状態の不良を判断させるために、第１振動センサーによって検出された振動成分Ａ１から差し引く振動成分Ａ２を検出する第２振動センサーを備える水洗大便器装置が開示されている。
【０００３】
また、特許文献２には、大便器と、大便器の上面に載置され、大便器に対して着脱可能な衛生洗浄装置と、大便器の後方に配置され、衛生洗浄装置に接続される電源ケーブルおよび給水ホースを収容するキャビネット部と、衛生洗浄装置に接続され、キャビネット部からの引き出し余裕量が電源ケーブルおよび給水ホースよりも少ない引き出し量抑制部と  を備える、大便器ユニットが開示されている。
【先行技術文献】
【特許文献】
【０００４】
【特許文献１】特開２０２０−２０１９７号公報
【特許文献２】特開２０２０−２６４４号公報
【考案の概要】
【考案が解決しようとする課題】
【０００５】
従来、水洗式大便器９で男性が小便をする際には、図２（ｃ）に示されるように便座を起立させた状態で用を足していた。このような状態で小便をすると、便鉢部１２外に尿がこぼれて、床等を汚してしまうという課題がある。
【０００６】
本考案の目的は、便鉢部外に尿をこぼすことなく立ったまま小便することができる水洗式大便器を提供することである。
【課題を解決するための手段】
【０００７】
本考案に係る水洗式大便器は、汚物を受けるために開口された天井部を有する便鉢部と、前記便鉢部の前記天井部に対して起立又は倒伏するように回動し、所定の厚みを有し、かつ、略Ｏ字状の貫通孔が形成された便座部と、を備え、前記便座部は、正面側に設けられ、陰茎を挿入するための挿入口部と、背面側に設けられ、前記陰茎から出た尿を前記便鉢部内に排出するための排出管部と、前記挿入口部と前記排出管部とを連通するように内部に配設される流路部と、を有することを特徴とする。
【０００８】
また、本考案に係る水洗式大便器において、前記挿入口部は、前記正面側の開口部から前記流路部との連結部に向けて径が細くなる先細り形状を有しており、前記便座部の厚みは、前記連結部と前記正面側の前記開口部との間の厚みが前記連結部の厚みよりも広げられていることが好ましい。
【０００９】
また、本考案に係る水洗式大便器において、前記排出管部は、前記便鉢部内に前記尿を導くために前記便座部の底面部から突出する案内管を有することが好ましい。
【考案の効果】
【００１０】
本考案によれば、便鉢部外に尿をこぼすことなく立ったまま小便することができる。
【図面の簡単な説明】
【００１１】
【図１】本考案に係る実施の形態の水洗式大便器を示す図である。
【図２】本考案に係る実施形態において、水洗式大便器を用いて小便をしている様子を示す図と、比較のための従来の水洗式大便器を用いて小便をしている様子を示す図である。
【図３】本考案に係る実施の形態の水洗式大便器の変形例を示す図である。
【考案を実施するための形態】
【００１２】
以下に、本考案に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１３】
図１は、本考案に係る実施の形態の水洗式大便器１０を示す図である。図１（ａ）は、水洗式大便器１０の正面図であり、図１（ｂ）は、水洗式大便器１０の側面図であり、図１（ｃ）は、水洗式大便器１０の平面図である。
【００１４】
図２は、水洗式大便器１０を用いて小便をしている様子を示す図と、比較のための従来の水洗式大便器９を用いて小便をしている様子を示す図である。
【００１５】
図２（ａ）は、男の子３が水洗式大便器１０で立小便をしている様子を示す図であり、図２（ｂ）は、成人男性２が水洗式大便器１０で立小便をしている様子を示す図であり、図２（ｃ）は、成人男性２が従来の水洗式大便器９で立小便をしている様子を示す図である。
【００１６】
水洗式大便器１０は、男の子３や成人男性２が便鉢部１２外に尿をこぼすことなく立小便をすることができる便器である。水洗式大便器１０は、便鉢部１２と、挿入口部１８ａ、流路部１８ｂ、及び排出管部１８ｃを含む便座部１４と、タンク部１６と、を備えている。
【００１７】
便鉢部１２は、汚物を受けるために開口された天井部１２ａを有するボウル形状の部材である。便鉢部１２は、適度な強度を有する材質、例えば、樹脂や陶器などを用いて構成することが出来る。
【００１８】
便鉢部１２は、水が溜められた水たまり部と、汚物を水ともに排出させるための排水路部とを備えている。水たまり部において、常に水をためておくことで便鉢部１２の内側面への汚物付着を防ぐほか、下水管から上がってくる臭いを防ぐ効果がある。
【００１９】
排水路部は、断面形状が略Ｓ字形状を有している。便鉢部１２内に水をためておくため、排水路部は、上方にせり上がっている。このせり上がった部分は、「せき」と呼ばれている。
【００２０】
便鉢部１２内の汚物を流しきり、かつ、水たまりの水位を保つように、１回分の流れる水量が綿密に設定されている。
【００２１】
タンク部１６は、レバーを回すと便鉢部１２内に水を流して汚物を排水路部に流す機能を有している。タンク部１６は、ボールタップと、オーバーフロー管と、フロートバルブと、止水栓とを含んで構成される。
【００２２】
ボールタップは、タンク部１６内の真ん中に浮いている球体である浮き玉と、それを支える指示棒とを含んで構成される。ボールタップは、タンク部１６内の給水を司る部位であり、指示棒の付け根はタンク部１６外から水を取り入れる給水管と通じている。浮き玉の上下運動によってタンク内の水位が測られ、低い位置にあるときは給水し、上がってくると水が止まる仕組みになっている。
【００２３】
オーバーフロー管は、タンク部１６の中央部に立っている管であり、何らかの理由でタンク部１６内の給水が止まらなくなったとき、タンク部１６から水が漏れ出すのを防ぐため、溢れた水がこの管の中を通って便鉢部１２内へ逃げられるようになっている。
【００２４】
フロートバルブは、タンク部１６の底にある黒いゴム製の弁である。フロートバルブは、タンク部１６から便鉢部１２への排水機能を担う部位で、鎖を通じてレバーと連結されている。フロートバルブは、通常、バルブ本体がタンク底部の排水弁を塞いでおり、レバーが回ると持ち上げられて排水弁が開くようになっている。
【００２５】
止水栓は、タンク部１６の側面からは給水管が伸びており、その管が壁や床に接するところに設けられている。止水栓は、タンク部１６に水を供給するための蛇口のようなもので、閉めれば給水が止まる仕組みとなっており、止水栓の開け具合で水の勢いが調節できるようになっている。
【００２６】
便座部１４は、便鉢部１２の天井部１２ａに対して起立又は倒伏するように回動し、所定の厚みを有し、かつ、略Ｏ字状の貫通孔１４ｃが形成された部材である。便座部１４は、適度な強度を有する材質、例えば、樹脂や陶器などを用いて構成することが出来る。
【００２７】
便座部１４は、便座１４ａと、蓋部１４ｂとを含んで構成される。便座１４ａと蓋部１４ｂとは独立して起立又は倒伏するように回動可能なように設けられている。蓋部１４ｂは、便座１４ａに形成される貫通孔１４ｃから匂いが漏れないように塞ぐための蓋部材である。
【００２８】
便座１４ａは、男の子３や成人男性２が大便をする際に倒伏される略Ｏ字状の部材である。便座１４ａは、挿入口部１８ａと、流路部１８ｂと、排出管部１８ｃとを含んで構成される。便座１４ａは、寒い冬場に座った際に快適に用を足すことができるように内部にヒーターを設けてもよい。
【００２９】
挿入口部１８ａは、便座１４ａ内において正面側に設けられ、男の子３や成人男性２の陰茎を挿入するための部材である。挿入口部１８ａは、適度な強度を有する材質、例えば、樹脂を用いて構成することが出来る。
【００３０】
挿入口部１８ａは、正面側の開口部１９から流路部１８ｂとの連結部２１に向けて径が細くなる先細り形状を有している。図１（ｃ）に示されるように、平面図では略三角形状となる漏斗のような形状を有している。
【００３１】
流路部１８ｂは、挿入口部１８ａと排出管部１８ｃとを連通するように内部に配設される円筒状の配管部材である。流路部１８ｂは、適度な強度を有する材質、例えば、樹脂を用いて構成することが出来る。流路部１８ｂは、Ｏ字状の便座１４ａ内のうち、図１（ｃ）に示されるように右回りとなるように設けられているが、もちろん、左回りであってもよい。
【００３２】
排出管部１８ｃは、便座１４ａ内において背面側に設けられ、男の子３や成人男性２の陰茎から出た尿を排出するための部材である。排出管部１８ｃは、適度な強度を有する材質、例えば、樹脂を用いて構成することが出来る。排出管部１８ｃは、図１（ｂ）及び図１（ｃ）に示されるように、便鉢部１２内に尿を導くために便座１４ａの底面部から突出する案内管である。
【００３３】
挿入口部１８ａ、流路部１８ｂ、及び排出管部１８ｃが内部に設けられた便座１４ａの厚みは、図１（ｂ）に示されるように、正面側の開口部１９と挿入口部１８ａと流路部１８ｂとの連結部２１との間の厚みは、連結部２１の厚みよりも広げられている。
【００３４】
すなわち、便座１４ａの背面側から流路部１８ｂが配設された部分の厚みは一定であるが、挿入口部１８ａのテーパー形状に合わせて連結部２１から正面側に向かって徐々に厚みが厚くなっている。
【００３５】
続いて、上記構成の水洗式大便器１０の作用について説明する。従来、水洗式大便器９において、成人男性２が立小便をしょうとすると、図２（ｃ）に示されるように、便座と蓋部とを起立させた状態で用を足す必要があった。このような状態で用を足すと排尿の方向を上手く制御できずに便鉢部１２外に尿がこぼれてしまうという課題があった。
【００３６】
しかしながら、水洗式大便器１０を用いて立小便をするには、以下の手順で行うことが出来る。最初に、便座部１４のうち、蓋部１４ｂを図２（ｂ）、図２（ｃ）に示されるように垂直に起立させる。
【００３７】
そして、男の子３の場合は、図２（ｂ）に示されるように、陰茎の高さ位置まで便座１４ａを傾け、成人男性２の場合は、図２（ｃ）に示されるように、便座１４ａを傾ける。
【００３８】
次いで、男の子３又は成人男性２は、陰茎を便座１４ａの挿入口部１８ａ内に挿入し、この状態で排尿する。このとき、挿入口部１８ａは正面側に向けて広がるような略漏斗形状を有しているため、陰茎を挿入しやすいという利点がある。
【００３９】
このように排出された尿は、重力によって、挿入口部１８ａから流路部１８ｂ内を流れた後、排出管部１８ｃから便鉢部１２内に排出される。
【００４０】
この後、タンク部１６のレバーを回すと、レバーと鎖で繋がっているフロートバルブが引っ張られ、タンク部１６の底部の排水弁が開いて、便鉢部１２内に水が流れて、尿が排水路から排出される。水が流れ終わると自動的にフロートバルブが閉まる。
【００４１】
タンク部１６内の水が少なくなると浮き玉が下がり、それに合わせて給水が始まり、浮き玉が上昇する。そして、十分な水位まで給水されると水が止まり、次の使用時まで所定の水量が保たれる。
【００４２】
このように、水洗式大便器１０によれば、男の子３又は成人男性２は立ったままの状態で、自分自身の陰茎の高さ位置に便座１４ａの正面側を近づけて、挿入口部１８ａ内に挿入することにより、より確実に便鉢部１２内に尿を導くことができる。このため、水洗式大便器１０が設けられる床面などを汚すことなく綺麗な状態で使用することができるという顕著な効果を奏する。
【００４３】
図３は、本考案に係る実施の形態の水洗式大便器１０の変形例である水洗式大便器１１を示す図である。水洗式大便器１０では、便座１４ａの背面側から流路部１８ｂが配設された部分の厚みは一定であり挿入口部１８ａのテーパー形状に合わせて連結部２１から正面側に向かって徐々に厚みが厚くなっているものとして説明したが、座り心地などを考慮した場合に、図３（ｂ）に示されるように、厚みを開口部１９に合せて一定にしてもよい。
【００４４】
また、便座部１４のうち流路部１８ｂの反対側に流路部１８ｂに水を流して洗浄するための洗浄水配管１７ｂを組み込んでもよい。洗浄水配管１７ｂは、可撓性を有する材質で構成されており、タンク部１６内の水を取り出して洗浄水配管１７ｂに導入するための洗浄モーターＢＯＸ１７ａが設けられていても良い。これにより、より清潔に保つことができるという効果を奏する。
【符号の説明】
【００４５】
２  成人男性、３  男の子、９，１０，１１  水洗式大便器、１２  便鉢部、１２ａ  天井部、１４  便座部、１４ａ  便座、１４ｂ  蓋部、１４ｃ  貫通孔、１６  タンク部、１７ａ  洗浄モーターＢＯＸ、１７ｂ  洗浄水配管、１８ａ  挿入口部、１８ｂ  流路部、１８ｃ  排出管部、１９  開口部、２１  連結部。
【図１】
0003226248.tif 000003
【図２】
0003226248.tif 000004
【図３】
0003226248.tif 000005